【手続補正書】
【提出日】平成29年5月11日(2017.5.11)
【手続補正１】
【補正対象書類名】特許請求の範囲
【補正対象項目名】全文
【補正方法】変更
【補正の内容】
【特許請求の範囲】
【請求項１】
印刷可能な基材の上に設けられる印刷セキュリティー構造（１０；２０；３０；４０；５０；６０；７０；８０；９０；１００；１１０）において、当該印刷セキュリティー構造（１０；２０；３０；４０；５０；６０；７０；８０；９０；１００；１１０）が、印刷領域（１１；２１；３１；４１；５１；６１；７１；８１；９１；１０１；１１１）にわたって所定の分布で印刷された多数の幾何学的要素（ＧＥ；１５；２５；３５；４５；５５；６５−６６；７５；８５−８６；９５−９７；１０５−１０７；１１５−１１７）から構成されている少なくとも第１の印刷セクションを有する印刷領域（１１；２１；３１；４１；５１；６１；７１；８１；９１；１０１；１１１）を具え、
前記幾何学的要素（ＧＥ；１５；２５；３５；４５；５５；６５−６６；７５；８５−８６；９５−９７；１０５−１０７；１１５−１１７）が、可視白色光で照らしたときに同じかほぼ同じ光学的外観を示す第１および第２のインクで少なくとも印刷され、前記印刷セキュリティー構造（１０；２０；３０；４０；５０；６０；７０；８０；９０；１００；１１０）は、可視白色光で照らしたときに第１の図形表示（Ａ１；Ａ２；Ａ３；Ａ４；Ａ５；Ａ６；Ａ７；Ａ８；Ａ９；Ａ１０；Ａ１１）を形成し、少なくとも前記第１のインクが、第１のインクを第２のインクと区別する特徴的な光学反応が生じることで非可視光励起に反応するインクであり、
前記印刷セキュリティー構造（１０；２０；３０；４０；５０；６０；７０；８０；９０；１００；１１０）は、非可視光に照らしたときに第２の図形表示（Ｂ１；Ｂ２；Ｂ３；Ｂ４；Ｂ５；Ｂ６；Ｂ７；Ｂ８；Ｂ９；Ｂ１０；Ｂ１１）を形成し、当該第２の図形表示（Ｂ１；Ｂ２；Ｂ３；Ｂ４；Ｂ５；Ｂ６；Ｂ７；Ｂ８；Ｂ９；Ｂ１０；Ｂ１１）が、前記印刷セキュリティー構造（１０；２０；３０；４０；５０；６０；７０；８０；９０；１００；１１０）を非可視光で照らしたときにのみ現れる特徴的な二次元図形要素（Ｂ）を示し、
前記第１の印刷セクションが、前記特徴的な二次元図形要素（Ｂ）の近くにある第１および第２の印刷部分（Ｐ１、Ｐ２）と、前記特徴的な二次元図形要素（Ｂ）の境界（２００）の内側にある第３の印刷部分（Ｐ３）と、を含む少なくとも３つの印刷部分（Ｐ１、Ｐ２、Ｐ３）に細分されており、
前記第１の印刷部分（Ｐ１）では、前記幾何学的要素（ＧＥ；１５；２５；３５；４５；５５；６５−６６；７５；８５−８６；９５−９７；１０５−１０７；１１５−１１７）が前記第１のインクで印刷されており、
前記第２の印刷部分（Ｐ２）では、前記幾何学的要素（ＧＥ；１５；２５；３５；４５；５５；６５−６６；７５；８５−８６；９５−９７；１０５−１０７；１１５−１１７）が前記第２のインクで印刷されており、
前記第３の印刷部分（Ｐ３）では、前記幾何学的要素（ＧＥ；１５；２５；３５；４５；５５；６５−６６；７５；８５−８６；９５−９７；１０５−１０７；１１５−１１７）が第１および第２の連続部分（ＧＥ＿ａ、ＧＥ＿ｂ）に細分されて、前記第１の連続部分（ＧＥ＿ａ）が前記第１のインクで印刷され、前記第２の連続部分（ＧＥ＿ｂ）が前記第２のインクで印刷されており、
前記第１および第２のインクが、一方が他方に対して位置を合わせて印刷され、前記特徴的な二次元図形要素（Ｂ）の境界（２００）は、前記印刷セキュリティー構造（１０；２０；３０；４０；５０；６０；７０；８０；９０；１００；１１０）を可視光で照らしたときには見えないが、前記印刷セキュリティー構造（１０；２０；３０；４０；５０；６０；７０；８０；９０；１００；１１０）を非可視光で照らしたときにのみ、前記特徴的な二次元図形要素（Ｂ）が見えるようになることを特徴とする印刷セキュリティー構造。
【請求項２】
請求項１に記載の印刷セキュリティー構造において、前記印刷領域が、前記第２の印刷セクションに加えて、前記印刷領域にわたって所定の分布で印刷された多数の幾何学的要素（ＧＥ）から構成されている第２のセクションを少なくとも具え、
前記第２の印刷セクションの幾何学的要素（ＧＥ）が、可視白色光で照らしたときに同じかほぼ同じ光学的外観を示す第３および第４のインクで少なくとも印刷されており、前記第３および第４のインクの光学的外観は、前記第１および第２のインクと光学的外観と異なり、
少なくとも前記第３のインクが、前記第３のインクと第４のインクを区別する特徴的な光学反応が生じることで非可視光励起に反応するインクであり、前記第３のインクの特徴的な光学反応が、前記第１のインクの特徴的な光学反応と同じかほぼ同じであり、
前記第１の図形表示と前記第２の図形表示を、前記第１および第２の印刷セクションが協働で形成しており、
前記第２の印刷セクションが、前記特徴的な二次元図形要素（Ｂ）の近くにある第１および第２の印刷部分（Ｐ１、Ｐ２）と、前記特徴的な二次元図形要素（Ｂ）の境界（２００）の内側にある第３の印刷部分（Ｐ３）と、を含む少なくとも３つの印刷部分（Ｐ１、Ｐ２、Ｐ３）に細分されており、
前記第２の印刷セクションの第１の印刷部分（Ｐ１）では、前記幾何学的要素（ＧＥ）が前記第３のインクで印刷されており、
前記第２の印刷セクションの第２の印刷部分（Ｐ２）では、前記幾何学的要素（ＧＥ）が前記第４のインクで印刷されており、
前記第２の印刷セクションの第３の印刷部分（Ｐ３）では、前記幾何学的要素（ＧＥ）が第１および第２の連続部分（ＧＥ＿ａ、ＧＥ＿ｂ）に細分されて、前記第１の連続部分（ＧＥ＿ａ）が前記第３のインクで印刷され、前記第２の連続部分（ＧＥ＿ｂ）が前記第４のインクで印刷されており、
前記第３および第４のインクが、一方が他方に対して位置を合わせて印刷され、前記特徴的な二次元図形要素（Ｂ）の境界（２００）は、前記印刷セキュリティー構造を可視白色光で照らしたときには見えないが、前記印刷セキュリティー構造を非可視光で照らしたときにのみ、前記特徴的な二次元図形要素（Ｂ）が見えるようになることを特徴とする印刷セキュリティー構造。
【請求項３】
請求項１または２に記載の印刷セキュリティー構造（１０；２０；３０；９０；１００；１１０）において、前記幾何学的要素（ＧＥ；１５；２５；３５；９５−９７；１０５−１０７；１１５−１１７）が、直線形または曲線形の要素のような線形要素であることを特徴とする印刷セキュリティー構造。
【請求項４】
請求項３に記載の印刷セキュリティー構造（１０；２０；３０；９０；１００；１１０）において、前記線形要素の線幅および／または間隔を調整してハーフトーン画像を形成していることを特徴とする印刷セキュリティー構造。
【請求項５】
請求項１または２に記載の印刷セキュリティー構造（４０；５０；６０；７０；８０）において、前記幾何学的要素（ＧＥ；４５；５５；６５−６６；７５；８５−８６）が、スクリーンを形成する反復要素であることを特徴とする印刷セキュリティー構造。
【請求項６】
請求項５に記載の印刷セキュリティー構造（４０；５０；６０；７０；８０）において、前記反復要素を寸法調整してハーフトーン画像を形成していることを特徴とする印刷セキュリティー構造。
【請求項７】
請求項５または６に記載の印刷セキュリティー構造（６０；８０）において、前記幾何学的要素（ＧＥ；６５−６６；８５−８６）が、少なくとも第１および第２の特徴的な幾何学的要素（６５−６６；８５−８６）の並置を含むことを特徴とする印刷セキュリティー構造。
【請求項８】
請求項７に記載の印刷セキュリティー構造（８０）において、前記第１および第２の特徴的な幾何学的要素（８５；８６）が、印刷されていない分離線（８８）によって分離されていることを特徴とする印刷セキュリティー構造。
【請求項９】
請求項１乃至８のいずれか１項に記載の印刷セキュリティー構造(１０；２０；３０；４０；５０；６０；７０；８０；９０；１００；１１０）において、前記幾何学的要素（ＧＥ；１５；２５；３５；４５；５５；６５−６６；７５；８５−８６；９５−９７；１０５−１０７；１１５−１１７）が、ミリメートルあたり２から５０要素の空間周波数で印刷されていることを特徴とする印刷セキュリティー構造。
【請求項１０】
請求項１乃至９のいずれか１項に記載の印刷セキュリティー構造(１０；２０；３０；４０；５０；６０；７０；８０；９０；１００；１１０）において、前記印刷セキュリティー構造のインク被覆割合が、３０％から７０％の範囲内であることを特徴とする印刷セキュリティー構造。
【請求項１１】
請求項１乃至１０のいずれか１項に記載の印刷セキュリティー構造(１０；２０；３０；４０；５０；６０；７０；８０；９０；１００；１１０）において、前記第１のインクが、非可視光励起にさらしたときに第１の蛍光色の可視反応を生成する第１の蛍光インクであり、
前記第１の蛍光色が、前記印刷セキュリティー構造(１０；２０；３０；４０；５０；６０；７０；８０；９０；１００；１１０）を非可視光励起にさらしたときに見える特徴的な二次元図形要素（Ｂ）の形成に寄与することを特徴とする印刷セキュリティー構造。
【請求項１２】
請求項１１に記載の印刷セキュリティー構造(１０；２０；３０；４０；５０；６０；７０；８０；９０；１００；１１０）において、前記第２のインクが、非可視光励起にさらしたときに第２の蛍光色の可視反応を生成する第２の蛍光インクであり、前記第２の蛍光色は前記第１の蛍光色と異なることを特徴とする印刷セキュリティー構造。
【請求項１３】
請求項２に記載の印刷セキュリティー構造において、前記第１のインクが、非可視光励起にさらしたときに第１の蛍光色の可視反応を生成する第１の蛍光インクであり、前記非可視光励起が紫外線励起であり、
前記第１の蛍光色が、前記印刷セキュリティー構造を前記非可視光励起にさらしたときに見える特徴的な二次元図形要素（Ｂ）の形成に寄与し、
前記第３のインクが、前記非可視光励起にさらしたときに、前記第１の蛍光インクと同じかほぼ同じ第１の蛍光色の可視反応を生成する蛍光インクであることを特徴とする印刷セキュリティー構造。
【請求項１４】
請求項１３に記載の印刷セキュリティー構造において、前記第２のインクが、前記非可視光励起にさらしたときに第２の蛍光色の可視反応を生成する第２の蛍光インクであり、前記第２の蛍光色が前記第１の蛍光色と異なり、
前記第４のインクが、前記非可視光励起に照らしたときに、前記第２の蛍光インクと同じかほぼ同じ第２の蛍光色の可視反応を生成する蛍光インクであることを特徴とする印刷セキュリティー構造。
【請求項１５】
請求項１２または１４に記載の印刷セキュリティー構造(１０；２０；３０；４０；５０；６０；７０；８０；９０；１００；１１０）において、前記特徴的な二次元図形要素（Ｂ）の境界（２００）の内側では、前記第１および第２の連続部分（ＧＥ＿ａ、ＧＥ＿ｂ）が、前記非可視光励起にさらしたときに、前記第１および第２の蛍光色の加法混色がもたらす第３の蛍光色を形成することを特徴とする印刷セキュリティー構造。
【請求項１６】
請求項１１乃至１５のいずれか１項に記載の印刷セキュリティー構造(１０；２０；３０；４０；５０；６０；７０；８０；９０；１００；１１０）において、前記非可視光励起が紫外線励起であることを特徴とする印刷セキュリティー構造。
【請求項１７】
請求項１乃至１６のいずれか１項に記載の印刷セキュリティー構造(１０；２０；３０；４０；５０；６０；７０；８０；９０；１００；１１０）において、前記第１の連続部分（ＧＥ＿ａ）の表面の、前記第２の連続部分（ＧＥ＿ｂ）に対する割合が、前記特徴的な二次元図形要素（Ｂ）の境界（２００）の内側で、１／２から２の範囲内であることを特徴とする印刷セキュリティー構造。
【請求項１８】
請求項１乃至１７のいずれか１項に記載の印刷セキュリティー構造（５０；６０；７０；８０）において、前記特徴的な二次元図形要素（Ｂ）の境界（２００）の内側で、前記第１および第２の連続部分（ＧＥ＿ａ、ＧＥ＿ｂ）が、前記非可視光励起にさらしたときに、前記幾何学的要素（ＧＥ；５５；６５−６６；７５；８５−８６）の形状とは異なる特徴的な形状の幾何学パターンを具える構造を形成することを特徴とする印刷セキュリティー構造。
【請求項１９】
基材と、請求項１乃至１８のいずれか１項に記載印刷セキュリティー構造(１０；２０；３０；４０；５０；６０；７０；８０；９０；１００；１１０）とを具える対象物であって、前記印刷セキュリティー構造(１０；２０；３０；４０；５０；６０；７０；８０；９０；１００；１１０）が前記基材の上に設けられていることを特徴とする対象物。
【請求項２０】
請求項１９に記載の対象物において、前記印刷セキュリティー構造(１０；２０；３０；４０；５０；６０；７０；８０；９０；１００；１１０）が、非可視光励起の大部分を吸収する基材の部分に設けられていることを特徴とする対象物。
【請求項２１】
請求項１９または２０に記載の対象物において、前記対象物が、有価証書であり、または偽造から保護すべき物品に貼ることができるセキュリティー要素であることを特徴とする対象物。
【請求項２２】
基材と印刷セキュリティー構造を具える対象物の製造方法において、当該方法が：
印刷可能な基材を提供するステップと；
請求項１乃至１８のいずれか１項に記載印刷セキュリティー構造(１０；２０；３０；４０；５０；６０；７０；８０；９０；１００；１１０）を、前記基材の上に印刷するステップと；
を具えることを特徴とする方法。
【請求項２３】
請求項２２に記載の方法において、前記印刷セキュリティー構造(１０；２０；３０；４０；５０；６０；７０；８０；９０；１００；１１０）の前記多数の幾何学的要素（ＧＥ；１５；２５；３５；４５；５５；６５−６６；７５；８５−８６；９５−９７；１０５−１０７；１１５−１１７）が、同時オフセット（Ｓｉｍｕｌｔａｎ−ｏｆｆｓｅｔ）で、すなわち、第１および第２のオフセット印刷版をそれぞれ前記第１および第２のインクでインキングして、印刷前に前記第１および第２のオフセット印刷版から共通のブランケット胴の上に、得られる第１および第２のインクパターンを転写することで印刷されることを特徴とする方法。
【請求項２４】
請求項２に記載のセキュリティー構造の印刷用の請求項２３に記載の方法において、前記第２の印刷セクションの多数の幾何学的要素（ＧＥ）も同時オフセットで、第３および第４のオフセット印刷版をそぞれぞれ第３および第４のインクでさらにインキングして、印刷前に前記第３および第４のオフセット印刷版から共通のブランケット胴の上に、得られる第３および第４のインクパターンを転写することで印刷することを特徴とする方法。